(57)【特許請求の範囲】
【請求項１】
表示部と、
外部機器と通信を行う通信部と、
自装置の状態を示す第１ステータス情報を前記表示部に所定の表示形態で表示させる制御部と、を備え、
前記制御部は、
前記通信部により前記外部機器から当該外部機器の状態を示す第２ステータス情報及び当該第２ステータス情報を前記表示部に表示させるための表示態様を受信し、
受信した前記第２ステータス情報の表示態様と前記第１ステータス情報の表示態様とが一致している場合に、当該第２ステータス情報の表示態様を前記第１ステータス情報の表示態様とは異なる表示態様に変更して当該第２ステータス情報を前記表示部に表示させる携帯端末装置。
【請求項２】
第１表示部を備える第１携帯端末装置と、当該第１携帯端末装置と通信可能な、第２表示部を備える第２携帯端末装置とを含む通信システムであって、
前記第１携帯端末装置は、
前記第２携帯端末装置と通信を行う第１通信部と、
前記第１携帯端末装置の状態を示す第１ステータス情報を監視し、当該第１ステータス情報に変化が生じた場合に、変化後の第１ステータス情報に基づいて送信用ステータス情報を生成し、当該送信用ステータス情報及び当該送信用ステータス情報を前記第２表示部に表示させるための表示態様を、前記第１通信部により前記第２携帯端末装置に送信する第１制御部と、を備え、
前記第２携帯端末装置は、
前記第１携帯端末装置と通信を行う第２通信部と、
前記第２携帯端末装置の状態を示す第２ステータス情報を前記第２表示部に所定の表示態様で表示させる第２制御部と、を備え、
前記第２制御部は、
前記第２通信部により前記第１携帯端末装置から前記送信用ステータス情報及び前記送信用ステータス情報の表示態様を受信し、
受信した前記送信用ステータス情報の表示態様と前記第２ステータス情報の前記表示態様とが一致している場合に、当該送信用ステータス情報の表示態様を前記第２ステータス情報の表示態様とは異なる表示態様に変更して当該送信用ステータス情報を前記第２表示部に表示させる通信システム。
【発明の詳細な説明】
【技術分野】
【０００１】
本発明は、携帯端末装置の状態を示すステータス情報の通信を行う携帯端末装置及び通信システムに関する。
【背景技術】
【０００２】
近年、防犯上の観点から、子供に携帯端末装置を所持させることが提案されており、防犯上の観点に基づいて設計された携帯端末装置が市場に供給されている。
【０００３】
このような携帯端末装置は、通話機能及び防犯対策機能を備えているが、他の機能として、利便性を向上させるために、インターネット接続機能等が備えられている。しかしながら、インターネット接続機能を利用して、子供が有害なサイトにアクセスしたり、ＢＢＳ（Ｂｕｌｌｅｔｉｎ  Ｂｏａｒｄ  Ｓｙｓｔｅｍ）等により他人を中傷する書込みを行ったりするといった問題が発生している。
【０００４】
このような問題に対応するために、携帯端末装置の状態（例えば、ウェブ等に係る通信接続状態等）を示すステータス情報（ピクト情報）を管理することが要請されている。これに対して、特許文献１では、表示部を備え、この表示部に表示されている画像全体をメールに添付して送信する携帯端末装置が提案されている。
【先行技術文献】
【特許文献】
【０００５】
【特許文献１】特開２００１−２７２９６６号公報
【発明の概要】
【発明が解決しようとする課題】
【０００６】
しかしながら、特許文献１に記載の携帯端末装置は、表示部に表示されている画像全体をメールに添付して送信することを想定しているので、ステータス情報に係る通信を想定するものではなく、携帯端末装置の状態を示すステータス情報を効率的に確認することができなかった。
【０００７】
本発明は、効率的にステータス情報に係る通信をすることができる携帯端末装置及び通信システムを提供することを目的とする。
【課題を解決するための手段】
【０００８】
本発明に係る携帯端末装置は、表示部と、外部機器と通信を行う通信部と、自装置の状態を示す第１ステータス情報を前記表示部に表示させる制御部と、を備え、前記制御部は、前記通信部により前記外部機器から当該外部機器の状態を示す第２ステータス情報を受信した場合に、当該第２ステータス情報を前記第１ステータス情報が表示されている場所とは異なる場所に表示させる。
【０００９】
本発明に係る携帯端末装置は、表示部と、外部機器と通信を行う通信部と、自装置の状態を示す第１ステータス情報を前記表示部に表示させる制御部と、を備え、前記制御部は、前記通信部により前記外部機器から当該外部機器の状態を示す前記第２ステータス情報を受信した場合に、当該第２ステータス情報を前記第１ステータス情報の表示態様と異なる表示態様で表示させる。
【００１０】
本発明に係る携帯端末装置は、表示部と、外部機器と通信を行う通信部と、所定の情報を記憶する記憶部と、前記表示部に待受画像を表示させる場合に、前記記憶部に記憶されている前記所定の情報を、当該待受画像上の指定された場所に表示させる制御部と、を備え、前記制御部は、前記通信部により前記外部機器から当該外部機器の状態を示すステータス情報を受信した場合に、当該ステータス情報を文字により構成される文字情報に変換し、前記所定の情報として前記記憶部に記憶させる。
【００１１】
本発明に係る携帯端末装置は、外部機器と通信を行う通信部と、自装置の状態を示すステータス情報を監視し、当該ステータス情報に変化が生じた場合に、変化後のステータス情報に基づいて送信用ステータス情報を生成し、当該送信用ステータス情報を前記通信部により前記外部機器に送信する制御部と、を備える。
【００１２】
また、本発明に係る携帯端末装置は、前記ステータス情報は複数の項目の状態を示し、前記制御部は、前記複数の項目のうち、所定の項目の状態に変化が生じた場合に、変化後の所定の項目の状態に基づいて送信用ステータス情報を生成することが好ましい。
【００１３】
また、本発明に係る携帯端末装置は、前記外部機器の連絡先を所定の連絡先として予め記憶する記憶部と、緊急通信の開始を指示する緊急操作部と、を更に備え、前記制御部は、前記緊急操作部が操作されると、前記記憶部に記憶されている所定の連絡先に前記通信部により緊急通信を行い、前記外部機器は前記所定の連絡先と一致していることが好ましい。
【００１４】
また、前記緊急操作部は、所定の引っ張り力が付加される引っ張り部を有し、前記制御部は、前記引っ張り部が前記所定の引っ張り力を付加されたことに応じて、前記記憶部に記憶されている所定の連絡先に前記通信部により緊急通信を行うことが好ましい。
【００１５】
本発明に係る通信システムは、第１携帯端末装置と、当該第１携帯端末装置に通信可能な第２携帯端末装置とを備える通信システムであって、前記第１携帯端末装置は、第１表示部と、前記第２携帯端末装置と通信を行う第１通信部と、前記第１携帯端末装置の状態を示す第１ステータス情報を監視し、当該第１ステータス情報に変化が生じた場合に、変化後の第１ステータス情報に基づいて送信用ステータス情報を生成し、当該送信用ステータス情報を、前記第１通信部により前記第２携帯端末装置に送信する第１制御部と、を備え、前記第２携帯端末装置は、第２表示部と、前記第１携帯端末装置と通信を行う第２通信部と、前記第２携帯端末装置の状態を示す第２ステータス情報を前記第２表示部に表示させる第２制御部と、を備え、前記第２制御部は、前記第２通信部により前記第１携帯端末装置から前記送信用ステータス情報を受信した場合に、当該送信用ステータス情報を前記第２ステータス情報が表示されている場所とは異なる場所に表示させる。
【００１６】
本発明に係る通信システムは、第１携帯端末装置と、当該第１携帯端末装置に通信可能な第２携帯端末装置とを備える通信システムであって、前記第１携帯端末装置は、前記第２携帯端末装置と通信を行う第１通信部と、前記第１携帯端末装置の状態を示す第１ステータス情報を監視し、当該第１ステータス情報に変化が生じた場合に、変化後の第１ステータス情報に基づいて送信用ステータス情報を生成し、当該送信用ステータス情報を前記第１通信部により前記第２携帯端末装置に送信する第１制御部と、を備え、前記第２携帯端末装置は、第２表示部と、前記第１携帯端末装置と通信を行う第２通信部と、所定の情報を記憶する記憶部と、前記第２表示部に待受画像を表示させる場合に、前記記憶部に記憶されている前記所定の情報を、当該待受画像上の指定された場所に表示させる第２制御部と、を備え、前記第２制御部は、前記第２通信部により前記第１携帯端末装置から前記送信用ステータス情報を受信した場合に、当該送信用ステータス情報を文字により構成される文字情報に変換し、前記所定の情報として前記記憶部に記憶させる。
【発明の効果】
【００１７】
本発明によれば、効率的にステータス情報に係る通信をすることができる。
【図面の簡単な説明】
【００１８】
【図１】本実施形態に係る通信システムの構成を示す図である。
【図２】本実施形態に係る第１携帯端末装置及び第２携帯端末装置の機能構成を示すブロック図である。
【図３】本実施形態に係る第１携帯端末装置の第１表示部に表示されている画像の一例を示す図である。
【図４】本実施形態に係る第２携帯端末装置の第２表示部に表示されている画像の一例を示す図である。
【図５】本実施形態に係る第２携帯端末装置の第２表示部に表示されている画像の別の一例を示す図である。
【図６】本実施形態に係る第２携帯端末装置に第１携帯端末装置のステータス情報が表示されるまでの処理の流れを示すフローチャートである。
【発明を実施するための形態】
【００１９】
以下、図面を参照して本発明を実施するための形態を説明する。
図１は、本実施形態に係る通信システム１の構成を示す図である。
通信システム１は、第１携帯端末装置１０と、第２携帯端末装置２０と、複数の基地局５０と、を備える。通信システム１では、第１携帯端末装置１０及び第２携帯端末装置２０が、それぞれ基地局５０を介してネットワークで接続されており、第１携帯端末装置１０と第２携帯端末装置２０との間で、自装置の状態を示すステータス情報の通信を行う。
【００２０】
図２は、本実施形態に係る第１携帯端末装置１０及び第２携帯端末装置２０の機能構成を示すブロック図である。
【００２１】
第１携帯端末装置１０は、例えば、携帯電話機であり、第１表示部１１と、第１操作部１２と、第１音声部１３と、通信部としての第１通信部１４と、第１記憶部１５と、制御部としての第１制御部１６と、緊急操作部１７と、を備える。
【００２２】
第１表示部１１は、第１制御部１６の制御に従って、所定の画像処理を行い、処理後の画像データをフレームメモリ（図示省略）に蓄え、所定のタイミングでディスプレイに出力する。
【００２３】
第１操作部１２は、各種設定機能、電話帳機能、メール機能等の各種機能を作動させるための機能設定操作ボタン、電話番号の数字やメールの文字等を入力するための入力操作ボタン、各種操作における決定やスクロール等を行う決定操作ボタン等から構成される。そして、第１操作部１２は、ユーザから各種指示入力を受け付け、受け付けられた入力情報を第１制御部１６に供給する。
【００２４】
第１音声部１３は、第１制御部１６の制御に従って、第１通信部１４から供給された信号に対して所定の音声処理を行い、処理後の信号をスピーカ（図示せず）に出力する。また、第１音声部１３は、第１制御部１６の制御に従って、マイク（図示せず）から入力された信号を処理し、処理後の信号を第１通信部１４へ出力する。
【００２５】
第１通信部１４は、所定の使用周波数帯（例えば、２ＧＨｚ帯や８００ＭＨｚ帯等）で基地局５０を介して第２携帯端末装置２０等と通信を行う。第１通信部１４は、アンテナ（図示せず）より受信した信号を復調処理し、処理後の信号を第１制御部１６に供給する。また、第１通信部１４は、第１制御部１６から供給された信号を変調処理し、基地局５０を介して第２携帯端末装置２０等に送信する。
【００２６】
第１記憶部１５は、例えば、ワーキングメモリを含み、第１制御部１６による演算処理に利用される。また、第１記憶部１５は、本実施形態に係る各種プログラムやテーブル等を記憶すると共に、第２携帯端末装置２０のメールアドレス及び電話番号を記憶する。なお、第１記憶部１５は、着脱可能な外部メモリを兼ねていてもよい。
【００２７】
第１制御部１６は、第１携帯端末装置１０の全体を制御しており、例えば、第１表示部１１、第１音声部１３、第１通信部１４等に対して所定の制御を行う。また、第１制御部１６は、第１操作部１２等から入力を受け付けて、各種処理を実行する。また、第１制御部１６は、処理実行の際には、第１記憶部１５を制御し、各種プログラム及びデータの読み出し、並びにデータの書き込みを行う。第１制御部１６の詳細な機能については後述する。
【００２８】
緊急操作部１７は、緊急通信の開始を指示するものであり、ストラップ等の所定の引っ張り力が付加される引っ張り部等から構成される。緊急操作部１７は、引っ張り部が所定の引っ張り力を付加されたことに応じて、ユーザから緊急通信の開始の指示を受け付け、受け付けられた入力情報を第１制御部１６に供給する。そして、第１制御部１６は、第１記憶部１５に記憶されている所定の連絡先に第１通信部１４によりステータス情報を送信する。具体的には、第１制御部１６は、引っ張り部が所定の引っ張り力を付加されたことに応じて、第１記憶部１５に記憶されている所定の連絡先としての第２携帯端末装置２０に対して、第１通信部１４によりステータス情報を送信する。
【００２９】
第２携帯端末装置２０は、例えば、携帯電話機であり、表示部としての第２表示部２１と、第２操作部２２と、第２音声部２３と、通信部としての第２通信部２４と、第２記憶部２５と、制御部としての第２制御部２６と、を備える。
【００３０】
第２表示部２１は、第２制御部２６の制御に従って、所定の画像処理を行い、処理後の画像データをフレームメモリ（図示省略）に蓄え、所定のタイミングでディスプレイに出力する。
【００３１】
第２操作部２２は、各種設定機能、電話帳機能、メール機能等の各種機能を作動させるための機能設定操作ボタン、電話番号の数字やメールの文字等を入力するための入力操作ボタン、各種操作における決定やスクロール等を行う決定操作ボタン等から構成される。そして、第２操作部２２は、ユーザから各種指示入力を受け付け、受け付けられた入力情報を第２制御部２６に供給する。
【００３２】
第２音声部２３は、第２制御部２６の制御に従って、後述の第２通信部２４から供給された信号に対して所定の音声処理を行い、処理後の信号をスピーカ（図示せず）に出力する。また、第２音声部２３は、第２制御部２６の制御に従って、マイク（図示せず）から入力された信号を処理し、処理後の信号を第２通信部２４へ出力する。
【００３３】
第２通信部２４は、所定の使用周波数帯（例えば、２ＧＨｚ帯や８００ＭＨｚ帯等）で基地局５０を介して第１携帯端末装置１０等と通信を行う。第２通信部２４は、アンテナ（図示せず）より受信した信号を復調処理し、処理後の信号を第２制御部２６に供給する。また、第２通信部２４は、第２制御部２６から供給された信号を変調処理し、基地局５０を介して第１携帯端末装置１０等に送信する。
【００３４】
第２記憶部２５は、例えば、ワーキングメモリを含み、第２制御部２６による演算処理に利用される。また、第２記憶部２５は、本実施形態に係る各種プログラムやテーブル等を記憶する。具体的には、第２記憶部２５は、第２表示部２１に待受画像を表示させる場合に、この待受画像上に表示させるための所定の情報を記憶する。なお、第２記憶部２５は、着脱可能な外部メモリを兼ねていてもよい。
【００３５】
ここで、待受画像とは、通信の待ち受けをしている場合に第２表示部２１に表示される画像である。第２携帯端末装置２０のユーザは、第２携帯端末装置２０に設けられているメールや、通話等に係る機能を実行する場合、原則として、この待受画像において第２操作部２２を操作することにより、これらの機能を実行させることができる。
【００３６】
第２制御部２６は、第２携帯端末装置２０の全体を制御しており、例えば、第２表示部２１、第２音声部２３、第２通信部２４等に対して所定の制御を行う。また、第２制御部２６は、第２操作部２２等から入力を受け付けて、各種処理を実行する。また、第２制御部２６は、処理実行の際には、第２記憶部２５を制御し、各種プログラム及びデータの読み出し、並びにデータの書き込みを行う。第２制御部２６の詳細な機能については後述する。
【００３７】
このように構成される第１携帯端末装置１０及び第２携帯端末装置２０は、携帯端末装置の状態を示すステータス情報の通信を行う。
【００３８】
ここで、ステータス情報は、例えば、携帯端末装置の残電池状態、電波状態、マナーモードのＯＮ／ＯＦＦ状態、ウェブ等に係る通信接続状態といったように、複数の項目の状態を含んでいる。それぞれの項目に対応する状況は、ピクト情報（例えば、ピクトグラム等）により端的に表現されるアイコンによって表示部の所定位置（例えば、ピクトエリア等）に表示されることで、ユーザに通知される。
本実施形態では、第１携帯端末装置１０の状態を示すステータス情報を第１ステータス情報、第２携帯端末装置２０の状態を示すステータス情報を第２ステータス情報という。
【００３９】
以下に、第１携帯端末装置１０及び第２携帯端末装置２０のステータス情報の通信に係る機能について図３〜図５を参照しながら説明する。
【００４０】
第１制御部１６は、自装置の状態、すなわち、第１ステータス情報を監視すると共に、第１ステータス情報に対応する画像を第１表示部１１に表示させる。また、第１制御部１６は、第１ステータス情報を監視し、第１ステータス情報に変化が生じた場合に、変化後の第１ステータス情報に基づいて、送信用ステータス情報を生成し、この送信用ステータス情報を第１通信部１４により、第１携帯端末装置１０の外部機器としての第２携帯端末装置２０に送信する。
【００４１】
具体的な処理について、図３を参照しながら説明する。図３は、本実施形態に係る第１携帯端末装置１０の第１表示部１１に表示されている画像の一例を示す図である。図３（ａ）では、第１表示部１１に表示されている画像の上部に、ピクトエリア１１１が表示されており、このピクトエリア１１１に第１ステータス情報に含まれる複数の項目の状態が表示されていることが確認できる。
【００４２】
第１制御部１６は、第１ステータス情報に変化が生じたか否かについて、例えば、以下のように判定する。すなわち、第１制御部１６は、第１ステータス情報に対応する画像を第１記憶部１５に記憶しておき、第１記憶部１５に記憶されている第１ステータス情報に対応する画像と、第１表示部１１に表示されている第１ステータス情報に対応する画像とを比較し、一致しなかった場合に、第１ステータス情報に変化が生じたと判定する。図３（ｂ）に示す例では、図３（ａ）に表示されているピクトエリア１１１と比べて、ピクトエリア１１１における右から２つ目の画像に変化が生じている。よって、第１制御部１６は、第１ステータス情報に変化が生じたと判定する。
【００４３】
ここで、第１制御部１６による、第１ステータス情報に変化が生じた場合の判定方法は、上述の内容に限らない。例えば、第１制御部１６は、第１携帯端末装置１０が監視する第１ステータス情報自体のいずれかの値が変更されたことに応じて、第１ステータス情報に変化が生じたと判定してもよい。
【００４４】
続いて、第１制御部１６は、第１ステータス情報に変化が生じたと判定した場合、第１表示部１１に表示されている第１ステータス情報に対応する画像データのキャプチャを行い、キャプチャが行われた画像データを送信用ステータス情報とする。図３（ｂ）では、第１制御部１６は、ピクトエリア１１１の画像のキャプチャを行う。続いて、第１制御部１６は、第１記憶部１５に記憶されている第２携帯端末装置２０のメールアドレスに基づいて、第１通信部１４により、送信用ステータス情報を第２携帯端末装置２０に送信する。ここで、送信用ステータス情報とは、キャプチャが行われた第１ステータス情報に対応する画像に限られず、第１ステータス情報の値でもよい。
【００４５】
このように、第１制御部１６は、第１ステータス情報に変化が生じた場合に、変化後の第１ステータス情報に基づいて、送信用ステータス情報を生成し、この送信用ステータス情報を第１通信部１４により、第２携帯端末装置２０に送信する。よって、第１携帯端末装置１０は、第１ステータス情報に変化が生じた場合のみ第２携帯端末装置２０に対して、第１携帯端末装置１０の状態を示すステータス情報を送信するので、余分にステータス情報を送信する必要がなく、効率的にステータス情報に係る通信をすることができる。
【００４６】
なお、第１携帯端末装置１０は、送信用ステータス情報の生成を以下のように行ってもよい。すなわち、第１携帯端末装置１０は、様々な状態における第１ステータス情報それぞれを第１記憶部１５に記憶しておき、変化後の第１ステータス情報に基づいて、第１記憶部１５に記憶されている第１ステータス情報を用いることにより、送信用ステータス情報を生成してもよい。
【００４７】
なお、第１制御部１６は、第１ステータス情報に対応する画像データのキャプチャを行うこととしたが、これに限らない。
例えば、第１制御部１６は、複数の項目のうち、所定の項目の状態に変化が生じた場合に、変化後の状態に基づいて送信用ステータス情報を生成し、この送信用ステータス情報を第１通信部１４により、第２携帯端末装置２０に送信してもよい。すなわち、第１制御部１６は、第１表示部１１に表示されている、変化が生じた状態に対応する画像データのキャプチャを行い、キャプチャが行われた画像データを送信用ステータス情報として第２携帯端末装置２０に送信してもよい。図３（ｂ）に示す例では、図３（ａ）に表示されているピクトエリア１１１と比べて、ピクトエリア１１１における右から２つ目の画像に変化が生じている。よって、第１制御部１６は、ピクトエリア１１１における右から２つ目の画像が、所定の項目に対応するものである場合に、この画像を送信用ステータス情報として、第１通信部１４により第２携帯端末装置２０に送信する。
なお、所定の項目は、予め設定されているが、第１操作部１２を介して、適宜設定可能である。
【００４８】
このようにすることで、第１制御部１６は、複数の項目のうち、所定の項目の状態に変化が生じた場合に、変化後の状態に基づいて送信用ステータス情報を生成し、第２携帯端末装置２０に送信する。よって、第１制御部１６は、重要な項目に係る状態に変化が生じた場合のみ送信用ステータス情報を送信するので、重要ではない項目に係る状態に変化が生じた場合に、送信用ステータス情報を送信する必要がなく、通信に係る負荷を抑制することができる。
【００４９】
第２制御部２６は、自装置の状態を監視しており、自装置の状態を示すステータス情報、すなわち、第２ステータス情報を第２表示部２１に表示させる。
図４は、本実施形態に係る第２携帯端末装置２０の第２表示部２１に表示されている画像の一例を示す図である。図４では、第２ステータス情報に含まれる複数の項目の状態を示す画像がピクトエリア２１１に表示されていることが確認できる。
【００５０】
第２制御部２６は、第２通信部２４により、第２携帯端末装置２０の外部機器としての第１携帯端末装置１０から、送信用ステータス情報を受信した場合に、送信用ステータス情報を第２ステータス情報が表示されている場所とは異なる場所に表示させる。
【００５１】
具体的には、第２制御部２６は、第１携帯端末装置１０から送信用ステータス情報を受信した場合に、送信用ステータス情報を第２ステータス情報の表示態様と異なる表示態様で表示させる。図４では、ピクトエリア２１１の下部に送信用ステータス情報が画像２１２として表示されていることが確認できる。また、図４では、この画像２１２が第２ステータス情報の表示態様と異なる表示態様で表示されていることが確認できる。
【００５２】
ここで、第２ステータス情報の表示態様とは異なる表示態様とは、例えば、送信用ステータス情報の表示態様の背景色が、第２ステータス情報の表示態様の背景色と異なる状態をいう。つまり、第２制御部２６は、第２ステータス情報の表示態様の背景色と、送信用ステータス情報の表示態様の背景色とが一致しているか否かを判定し、一致していると判定している場合に、送信用ステータス情報の表示態様の背景色を変更して第２表示部２１に表示させる。なお、第２制御部２６は、背景色を変更することにより、送信用ステータス情報を第２ステータス情報の表示態様と異なるものとしたが、これに限らず、第２ステータス情報と送信用ステータス情報の表示態様を視覚的に区別できるものであれば他の方法でもよい。
【００５３】
このようにすることで、第２制御部２６は、送信用ステータス情報を受信した場合に、送信用ステータス情報を第２ステータス情報の表示態様と異なる表示態様で表示させる。よって、第２携帯端末装置２０は、第１携帯端末装置１０に、送信用ステータス情報の送信を依頼することなく、送信用ステータス情報を得られるので、第２携帯端末装置２０のユーザは、効率的に第１携帯端末装置１０のステータス情報を受信することができる。また、第２制御部２６が、送信用ステータス情報を第２ステータス情報の表示態様と異なる表示態様で表示させるので、第２携帯端末装置２０のユーザは、自装置のステータス情報と第２ステータス情報とを明確に区別して、送信用ステータス情報を確認することができる。
【００５４】
また、第２制御部２６は、第１携帯端末装置１０から受信した送信用ステータス情報を第２表示部２１に待受画像を表示させる場合、送信用ステータス情報を文字情報に変換させて、待受画像上に表示させる。ここで、文字情報には、絵文字を示す絵文字情報も含む。
【００５５】
具体的には、第２制御部２６は、第２表示部２１に待受画像を表示させる場合、第２記憶部２５に記憶されている所定の情報を、待受画像上の指定された場所に表示させる。ここで、所定の情報は、文字及び／又は絵文字により構成される文字情報である。つまり、第２制御部２６は、この文字情報を待受画像上の指定された場所に表示させる。
【００５６】
続いて、第２制御部２６は、第２通信部２４により、第１携帯端末装置１０から、送信用ステータス情報を受信した場合に、送信用ステータス情報を文字及び／又は絵文字により構成される文字情報に変換し所定の情報として第２記憶部２５に記憶させる。すると、文字情報に変換された送信用ステータス情報は、所定の情報として記憶されることにより、待受画像上の指定された場所に表示される。なお、文字情報を第２表示部２１に一度に表示することができない場合、第２制御部２６は、この文字情報をスクロールして表示させる。
【００５７】
図５は、本実施形態に係る第２携帯端末装置２０の第２表示部２１に表示されている画像の別の一例を示す図である。図５では、ピクトエリア２１１の下部に表示されている待受画像２１３上に、文字情報２１４が表示されていることが確認できる。つまり、第２携帯端末装置２０のユーザは、文字情報２１４から、第１携帯端末装置１０の電池の残量が少ないこと、及びウェブ利用状態がＯＮとなっていることが確認できる。
【００５８】
このようにすることで、第２制御部２６は、待受画像上の指定された場所に、送信用ステータス情報を表示させる。よって、第２携帯端末装置２０のユーザは、送信用ステータス情報と、第２ステータス情報とを明確に区別することができる。
【００５９】
続いて、図６を参照して、通信システム１に係る処理の流れについて説明する。
図６は、本実施形態に係る第２携帯端末装置２０に第１携帯端末装置１０のステータス情報が表示されるまでの処理の流れを示すフローチャートである。
【００６０】
ステップＳ１において、第１制御部１６は、第１ステータス情報に変化が生じたか否かを判定する。第１制御部１６は、この判定がＹＥＳの場合、ステップＳ２に処理を移し、この判定がＮＯの場合、ステップＳ１を再実行する。
【００６１】
ステップＳ２において、第１制御部１６は、第１表示部１１に表示されている第１ステータス情報に対応する画像のキャプチャを行う。
【００６２】
ステップＳ３において、第１制御部１６は、ステップＳ２においてキャプチャが行われた画像を送信用ステータス情報として、第２携帯端末装置２０に送信を行う。ここで、第２携帯端末装置２０への送信は、メールにより行われる。
【００６３】
ステップＳ４において、第２制御部２６は、ステップＳ３において送信された送信用ステータス情報を第２通信部２４により受信する。
【００６４】
ステップＳ５において、第２制御部２６は、ステップＳ４において受信された送信用ステータスと、第２表示部２１に表示されている第２ステータス情報に対応する画像の表示態様が一致しているか否かを判定する。第２制御部２６は、この判定がＹＥＳの場合、ステップＳ６に処理を移し、この判定がＮＯの場合、ステップＳ７に処理を移す。
【００６５】
ステップＳ６において、第２制御部２６は、送信用ステータス情報の表示態様を変更する。具体的には、第２制御部２６は、送信用ステータス情報の背景色を変更することにより、送信用ステータス情報の表示態様を変更する。
【００６６】
ステップＳ７において、第２制御部２６は、ステップＳ４において受信された送信用ステータス情報又はステップＳ６において表示態様が変更された送信用ステータス情報を第２表示部２１に表示させる。
【００６７】
以上のように、本実施形態によれば、第１制御部１６は、第１ステータス情報に変化が生じた場合に、変化後の第１ステータス情報に基づいて、送信用ステータス情報を生成し、この送信用ステータス情報を、第１通信部１４により第２携帯端末装置２０に送信する。よって、第１表示部１１に表示されている画像全体ではなく、第１ステータス情報に対応する送信用ステータス情報を送信するので、余分な情報を送信することがない。よって、第１携帯端末装置１０は、通信量を抑制することで、ネットワークの通信負荷を抑制し、消費電力を抑制させることができるので、効率的にステータス情報に係る通信をすることができる。
【００６８】
また、第２制御部２６は、送信用ステータス情報を受信した場合に、送信用ステータス情報を第２ステータス情報の表示態様と異なる表示態様で表示させる。よって、第２携帯端末装置２０は、第１携帯端末装置１０に、送信用ステータス情報の送信を依頼することなく、送信用ステータス情報を得られるので、第２携帯端末装置２０のユーザは、効率的に第１携帯端末装置１０のステータス情報を受信することができる。また、第２制御部２６が送信用ステータス情報を第２ステータス情報の表示態様と異なる表示態様で表示させるので、第２携帯端末装置２０のユーザは、自装置のステータス情報と第２ステータス情報とを明確に区別して、送信用ステータス情報を確認することができる。
【００６９】
以上、好適な実施形態について説明したが、本発明は前述した実施形態に限定されることなく種々の形態で実施することができる。また、前述の実施形態に記載された効果は、本発明から生じる最も好適な効果を列挙したに過ぎず、本発明による効果は、前述のものに限定されない。
【００７０】
例えば、第１制御部１６は、第１ステータス情報に対応する状態に変化が生じた場合に、ステータス情報を送信するが、これに限らず、所定のタイミングでステータス情報を送信するようにしてもよい。すなわち、第１制御部１６は、第１操作部１２により、第２携帯端末装置２０に対するメールの送信に対応する操作が行われたことに応じて、メールに対して、第１ステータス情報を添付することとしてもよい。また、第１制御部１６は、定期的に第１表示部１１に表示される第１ステータス情報のキャプチャを行い、第２携帯端末装置２０に定期的に送信させるようにしてもよい。
【符号の説明】
【００７１】
１  通信システム
１０  第１携帯端末装置（携帯端末装置）
１１  第１表示部
１２  第１操作部
１４  第１通信部（通信部）
１５  第１記憶部（制御部）
１６  第１制御部
２０  第２携帯端末装置（携帯端末装置）
２１  第２表示部（表示部）
２２  第２操作部
２４  第２通信部（通信部）
２５  第２記憶部
２６  第２制御部（制御部）
【図１】
0005535783.tif 000002
【図２】
0005535783.tif 000003
【図３】
0005535783.tif 000004
【図４】
0005535783.tif 000005
【図５】
0005535783.tif 000006
【図６】
0005535783.tif 000007